(57)【特許請求の範囲】
【請求項１】
建築物の内壁部を構成する軸組に、該軸組に沿って並設される断熱内壁枠を前記軸組から離間して固定するための取付部材が装着され、該取付部材により前記軸組に固定された前記断熱内壁枠の屋内側の縦目地に、帯状の内断熱材が貼設された内壁部の断熱構造において、
前記取付部材は、その幅が前記軸組の隙間より小さく先端部分が前記軸組の隙間より大きく拡幅されるとともにその長さが前記軸組の奥行より大きい軸組挿入部が突設された基部と、該基部の軸組側に設けられバネ鋼が弧状に湾曲されてなる板バネと、を備えたことを特徴とする内壁部の断熱構造。
【発明の詳細な説明】
【０００１】
【発明の属する技術分野】
本発明は、住宅等の建築物の内壁部における断熱構造、特に、従来より高い断熱性能を得るための断熱構造に関するものである。
【０００２】
【従来の技術】
従来、住宅等の建物の内壁部は、図１３に示すように、建物の軸組み１に、内壁枠２が順次取り付けられ、該内壁枠２に内壁ボード、壁紙（図示せず）等が設けられて構成されていた。前記内壁枠２は、図１４に示すように、縦桟３Ｔと横桟３Ｙとからなる矩形の枠体３に断熱材４が充填され、枠体３の内壁側には防湿シート５が貼付されてなるものである。縦桟３Ｔ及び横桟３Ｙは、各々木製のものであり、釘、ビス、又は接着剤等を固着手段を用いて夫々接合されている。また、枠体３の矩形構造を補強するために横桟３Ｙは縦桟３Ｔ間に複数架設されている。断熱材４は、グラスウール又はロックウールを用いたもので、タッカー６により枠体３に固定されている。防湿シート５は、アルミと合成樹脂とのラミネートシートである。
【０００３】
【発明が解決しようとする課題】
前述したように構成された内壁枠２は、軸組１に、内壁枠２の枠体３、即ち縦桟３Ｔを押し当てるように位置せしめられ、軸組１に装着された止具７により固定されており、該内壁枠２に充填された断熱材４により、屋内から屋外への熱損失を抑制して、建築物の屋内の断熱を行っていた。
【０００４】
しかし、前記内壁部の構成によっても、屋内から屋外への熱損失を完全に抑制することは困難である一方、省エネルギー等の観点から、より高い断熱性能が住宅等には求められている。例えば、内壁部の断熱構造を高めるために、前記断熱材４を厚くすることが考えられるが、断熱材４を厚くすれば内壁枠２の厚みも増す分、従来より納まりを大きくとる必要が生じ、一方、内壁枠２を従来と同様の厚みとすれば、充填された断熱材４の反発力が大きくなって屋内側に膨らみが生じ、施工性が悪くなる。従って、従来と同様の作業性や施工コストを備え、且つ断熱性能を向上した内壁部の構造が必要となっている。
【０００５】
本発明は、これらの点に鑑みてなされたものであり、簡易且つ安価であり、従来と同様の作業性を維持し、且つ、断熱性能の優れた内壁部の構造を提供することを目的とする。
【０００６】
【課題を解決するための手段】
本発明者らは、従来の内壁部の構造を鋭意研究した結果、軸組と内壁枠が直に接触している点、及び、内壁枠の枠体の材料である木材の熱伝導性が、断熱材として用いられるグラスウール等の約３倍程度と高い点に着眼し、従来の内壁部の構造における熱損失は内壁枠の枠体から軸組への熱伝導により生ずるものが主であることを見出した。また、断熱内壁枠の断熱性能をも向上させるため、断熱性能が優れた合成樹脂素材を併用することにより、断熱内壁枠の厚みや施工性等を従来と同等に維持し、断熱性能を向上できることに着眼し、前記熱伝導を簡易且つ低コストで抑制し、且つ、断熱性能を更に向上すべく本発明を完成するに至った。
【０００７】
即ち、本発明の請求項１に係る内壁部の断熱構造は、建築物の内壁部を構成する軸組に、該軸組に沿って並設される断熱内壁枠を前記軸組から離間して固定するための取付部材が装着され、該取付部材により前記軸組に固定された前記断熱内壁枠の屋内側の縦目地に、帯状の内断熱材が貼設された内壁部の断熱構造において、前記取付部材は、その幅が前記軸組の隙間より小さく先端部分が前記軸組の隙間より大きく拡幅されるとともにその長さが前記軸組の奥行より大きい軸組挿入部が突設された基部と、該基部の軸組側に設けられバネ鋼が弧状に湾曲されてなる板バネと、を備えたものである。
【００１１】
【発明の実施の形態】
以下、本発明の実施の形態を図面に基づき具体的に説明する。
図１は、本発明の実施の形態に係る内壁部の断熱構造１００の主要部を示す断面図であるが、図に示すように、本断熱構造１００は、住宅等の軸組１に、断熱内壁枠１０１が取付金具１０２により、軸組１から所定間隔離間されて設けられ、軸組１と断熱内壁枠１０１との間に目地断熱材１０３が充填され、断熱内壁枠１０１の屋内側の目地に内断熱縦目地シート１０４が貼設されてなるものである。
なお、断熱内壁枠１０１の屋内側には内壁ボード、壁紙等が貼設されて室内の内装が仕上げられるが、本実施の形態においては、これらの説明は省略している。
【００１２】
断熱内壁枠１０１は、図２に示すように、２本の縦桟１０Ｔ間に横桟１０Ｙが複数架設されてなる矩形の枠体１０の表面側全面に、防湿シート１１が貼設され、枠体１０で四囲された空間内に合成樹脂断熱材１２が充填され、枠体１０の裏面側から、易変形断熱材１３が覆設されてなるものである。
なお、本実施の形態においては、枠体１０の表面側とは屋内側を指し、裏面側とは屋外側を指すものとする。
【００１３】
前記枠体１０を構成する縦桟１０Ｔ及び横桟１０Ｙは、各々木製の角材であり、釘や接着剤等の周知の固着手段により夫々が固着されて枠体１０をなしている。縦桟１０Ｔ及び横桟１０Ｙの断面寸法は、縦×横が夫々２５〜６０ｍｍ程度のものであることが好ましく、特に、縦桟１０Ｔは、断熱内壁枠１０１を軸組１から離間させて設置することを考慮すると、断熱内壁枠１０１の納まりが従来より大きくならないように、例えば断面寸法が約３０ｍｍ×３０ｍｍ程度の、従来用いられている縦桟より断熱内壁枠１０１の厚み方向となるべき寸法が小さいものであることが好ましい。
横桟１０Ｙも同様に、縦桟１０Ｔと同程度の断面寸法とすることが好ましいが、枠体１０の強度を高めるために、枠体１０の高さ方向となるべき横桟の寸法を大きくすることは可能である。なお、本実施の形態では枠体１０を木製のものとしたが、本発明は係る実施の形態に限定されるものでないことは当然であり、例えば枠体１０を鋼材を用いたメタルフレームとすることも可能である。
【００１４】
防湿シート１１は、前記枠体１０と同程度の大きさの矩形のものであり、アルミ及び合成樹脂のラミネートフィルム等、防湿性を有する素材からなるものである。枠体１０への貼着は、タッカー等を用いて行うこともできるが、接着剤や両面テープ等、防湿シート１１に穴を開けずに枠体１０に貼着できる手段を使用することが好ましい。また、防湿シート１１の素材としては、前記ラミネートフィルムの他、例えばポリプロピレン等、ガス透過性の低い合成樹脂を用いることもできる。
【００１５】
合成樹脂断熱材１２は、ポリスチレン、フェノール樹脂等の合成樹脂の発泡体からなるものであり、一般的に断熱材として用いられるグラスウールやロックウール等より高い断熱性能を有する一方、押圧による変形はグラスウール等ほど大きくなく、柔軟性は劣る。その大きさは枠体１０で四囲される空間に略隙間なく充填できる程度の矩形に裁断されており、厚みは枠体１０と同程度である。該合成樹脂断熱材１２は、枠体１０で四囲される空間に夫々嵌め込む際に、枠体１０に両面テープ等により固定してもよいが、断熱内壁枠１０１の表面には防湿シート１１が、裏面には易変形断熱材１３が設けられることにより、これらの部材に挟入されて枠体１０から脱落することはないので、固定を行うことなく嵌め込むこととしてもよい。
【００１６】
易変形断熱材１３は、例えばグラスウール、ロックウール等の繊維状のものであり、押圧を受けることにより容易に変形可能なものである。該易変形断熱材１３は、予め、枠体１０に合わせて適度な大きさに裁断され、繊維が解けたりしないように袋体に詰められている。易変形断熱材１３の大きさは、枠体１０と略同等であって縦桟１０Ｔ間に納まる程度のものであり、厚みは枠体１０の厚みより大きいものが好ましい。このように構成された易変形断熱材１３は、図２に示すように、タッカー１４を用いて横桟１０Ｙに固定する。
【００１７】
図３は、図２のＡ−Ａ断面を示すものであるが、合成樹脂断熱材１２は、縦桟１０Ｔの厚みと略同等であり、一方、易変形断熱材１３は、その両端が縦桟１０Ｔより内側に納まるようにして、断熱内壁枠１０１の裏面側、即ち屋外側に膨出した状態となっている。
【００１８】
このように、表面側に合成樹脂断熱材１２を設けることにより、枠体１０で四囲される一定容積の空間において易変形断熱材１３より高い断熱性能を得ることができ、裏面側に易変形断熱材１３を覆設することにより、横桟１０Ｙによる熱伝導を抑制し、且つ、断熱内壁枠１０１の裏面側において軸組１等と当接する場合に容易に変形して、従来と同様の施工性が維持されるものとなっている。
【００１９】
取付金具１０２は、前記断熱内壁枠１０１を、軸組１から所定間隔だけ離間させて固定するためのものであり、図４に示すように、基部２０と、基部２０の軸組側に設けられた板バネ２１と、基部２０と螺合するボルト２２と、スペーサ２３とからなる。
【００２０】
基部２０は、金属プレートが略Ｃ型に曲折されてなるものであり、該基部２０から装着時に軸組１に向く方へ、先端部分が拡幅された平板棒状の軸組挿入部２０ａが突設されており、基部２０の中央近傍にはボルト２２と螺合するボルト挿通孔（図示せず）が穿設されている。該軸組挿入部２０ａの幅は、差し込むべき軸組１の隙間より若干小さい程度であり、先端の拡幅部分の幅は、該隙間より大きなものとなっている。また、軸組挿入部２０ａの長さは、差し込むべき軸組１の奥行よりやや大きい程度、即ち、軸組挿入部２０ａを完全に軸組に差し込んだ場合に、先端の拡幅部分が軸組１の反対側（裏面側）に突出する程度である。
【００２１】
板バネ２１は、バネ鋼が弧状に湾曲されてなるものであり、その中央部付近で基部２０に固着されている。スペーサ２３は、金属プレートが略コの字状に曲折され、装着時に軸組１側となる曲折部の中央付近に並行して切り込みが設けられ、更に該切込み部分が上方に曲折されて、縦断面形状が略コの字状の金属プレートから上方に突出する突片２３ａが形成されてなるものであり、該突片２３ａにはボルト２２を摺動自在に挿通するための挿通孔２３ｂが穿設されている。ボルト２２が該挿通孔２３ｂに挿通され、更に基部２０と螺合されることにより、基部２０とスペーサ２３が一体となっている。
【００２２】
図５は、取付金具１０２を軸組１に取り付ける方法を説明するためのものであるが、まず、図５（ａ）に示すように、基部２０の軸組挿入部２０ａを、その先端の拡幅方向が垂直方向となるようにして、軸組１へ差し込む。板バネ２１の反発力に対抗して板バネ２１が潰れるまで軸組挿入部２０ａを軸組１に差し込むことにより、軸組挿入部２０ａの先端の拡幅部分が軸組１の反対側に突出する。その状態で、基部２０を時計周り（又は半時計回り）に９０度回転させてから、基部２０を解放すれば、基部２０は、板バネ２１の反発力により図４の手前側に付勢されるとともに、軸組挿入部２０ａの拡幅部分により軸組１に掛止されて、軸組１に装着される。更に、スペーサ２３の突片２３ａを基部２０の開口部と嵌合させることにより、図５（ｂ）に示すように、取付金具１０２が軸組１に装着される。
【００２３】
目地断熱材１０３は、前記易変形断熱材１３と同様に、グラスウール、ロックウール等の繊維状で容易に変形可能なものであり、予め、軸組１と断熱内壁枠１０１との間の空間に充填できる程度に裁断され、繊維が解けたりしないように袋体に詰められている。目地断熱材１０３の大きさは、図１に示すように、断面の幅が断熱内壁枠１０１の縦桟１０Ｔの幅の２倍より若干大きい程度、奥行が軸組１と断熱内壁枠１０１との距離、即ち、前記取付金具１０２のスペーサ２３の奥行と同程度のものであって、高さ寸法が断熱内壁枠１０１の高さ寸法と同程度のものである。
【００２４】
内断熱縦目地シート１０４は、発泡ポリエチレン製の帯状のものであり、図１に示すように、断熱内壁枠１０１の屋内側の縦目地に貼設されるものである。内断熱縦目地シート１０４の幅は、取付金具１０２の屋内側の露呈部分、即ちボルト２２の頭部等を被覆できる程度のものであり、断熱内壁枠１０１の縦目地全体に貼着できるように適宜裁断されて用いられる。内断熱縦目地シート１０４の貼着は、更に屋内側から内断熱縦目地シート１０４を覆うようにして粘着テープ４０が断熱内壁枠１０１の目地に貼られることにより行われる。これにより、断熱内壁枠１０１の縦目地を封止するとともに、取付金具１０２の屋内側の露呈部分から軸組１への熱伝導を抑止することができる。
なお、内断熱縦目地シート１０４は、前述したように粘着テープ４０を用いて貼着する他、内断熱目地シート１０４そのものが接着性を有するもの、即ち裏面に接着剤等が予め塗布されたものを用いて、断熱内壁枠１０１の縦目地に貼着させることもできる。また、内断熱目地シート１０４の厚みのために内壁面に凹凸が生じる場合には、図１に示すように、断熱内壁枠１０１の縦桟１０Ｔの所要箇所を目地断熱シート１０４の厚み分だけ切り欠くことが好ましい。
【００２５】
以下、本実施の形態に係る内壁部の断熱構造１００の施工方法を説明する。
まず、図５に示したように、軸組１に取付金具１０２を装着する。具体的には、軸組１の縦方向に対して、図６に示すように、例えば４個の取付金具１０２を列設する。装着すべき取付金具１０２は、少なくとも２個以上であることが好ましいが、断熱内壁枠１０１の枠体１０の強度等を考慮して設けるべき取付金具１０２の数を設定すればよく、特に４個に限定されるものでないことは当然である。また、図６では、説明の便宜上、一の軸組１にのみ取付金具１０２が装着されたものを示しているが、実際には断熱内壁枠１０１を設ける軸組すべてに取付金具１０２が装着される。
【００２６】
つぎに、軸組１に屋内側に目地断熱材１０３が位置せしめる。目地断熱材１０３は、図６に示すように、軸組１の幅と略同等の幅を有するものであり、予め軸組１の高さに合致するように裁断されている。該目地断熱材１０３の、前記取付金具１０２と対応する位置に、目地断熱材１０３を貫通する縦方向の切込み３０を設け、図６の拡大図に示すように、目地断熱材１０３が各取付金具１０２を内包するようにして、目地断熱材１０３を軸組１の屋内側に位置せしめる。
【００２７】
目地断熱材１０３を所定位置に位置せしめた後、断熱内壁枠１０１を取り付ける。図７は、取付金具１０２の片側に断熱内壁枠１０１を取り付けた状態を示すものであり、説明の便宜上、前記目地断熱材１０３は点線で示している。図に示すように、断熱内壁枠１０１の縦桟１０Ｔを、軸組１に装着された取付金具１０２のスペーサ２３に当接させるようにして断熱内壁枠１０１を取り付ける。これにより、軸組１と前記縦桟１０Ｔとの間にスペーサ２３分だけの空間が生じ、縦桟１０Ｔが軸組１と直接接触することはない。該空間には、図に点線で示すように、目地断熱材１０３が充填された状態となる。同様に、取付金具１０２の反対側にも断熱内壁枠１０１を取り付けることにより、断熱内壁枠１０１の縦目地であって軸組１と断熱内壁枠１０１の縦桟１０Ｔとの間に、目地断熱材１０３が介設された状態となる。
【００２８】
前述したように断熱内壁枠１０１を取り付けた後、取付金具１０２のボルト２２をねじ込むことにより、ボルト２２の頭部が断熱内壁枠１０１の表面に当接して断熱内壁枠１０１が固定される。ボルト２２の頭部の大きさが小さい場合や軸組１に装着された取付金具１０２の数が少ない場合には、断熱内壁枠１０１の固定が不安定となることも想定されるが、そのような場合には、円盤状の押えプレート２４をボルト２２の頭部に取り付けてもよい。
【００２９】
押えプレート２４は、図８に示すように、直径がボルト２２の頭部より大きな円盤状の平板であって、その中央近傍から径方向の３方向に膨らんだ係止孔２５が穿たれたものである。該係止孔２５は、互いに略反対方向に向かって膨らんだ頭挿通部２５ａ、２５ｂと、該頭挿通部２５ａ、２５ｂと略直交方向に向かって膨らんだ挿通補助部２５ｃとが形成されており、両頭挿通部２５ａ、２５ｂ間の係止孔２５縁部は、押えプレート２４の外縁に向かって膨らみ、ボルト２２の頭部と係合可能な劣弧をなしており、頭挿通部２５ａ、２５ｂと挿通補助部２５ｃとの間の係止孔２５の縁部は、押えプレート２４の中心に向かって膨らみ、ボルト２２の頭部と係合可能な劣弧をなしている。
【００３０】
このように構成された押えプレート２４をボルト２２の頭部に取り付けてから、ボルト２２をねじ込むことにより、押えプレート２４が断熱内壁枠１０１の屋内側の表面に圧接されて、断熱内壁枠１０１を確実に固定する。押えプレート２４の取付けを詳細に説明するに、図８(a)に示すように、ボルト２２の上方から、押えプレート２４の係止孔２５のボルト挿通部２５ａ、２５ｂにボルト２２の頭部を挿入するようにして、押えプレート２４をボルト２２の頭部に嵌め込む。そして、ボルト２２の軸部を挿通補助部２５ｃへ退避させるようにして（図８(b)）、ボルト２２の頭部を係止孔２５に挿通させる。これにより、押えプレート２４の係止孔２５にボルト２２の軸部が遊挿された状態となる（図８(c)）。押えプレート２４をボルト２２の頭部側ヘ位置せしめ、ドライバ等を用いてボルト２２を取付金具１０２の基部２０（図示せず）へねじ込むことにより（図８(d)）、押えプレート２４の係止孔２５の周縁部とボルト２２の頭部とが係合してボルト２２による押圧力が押えプレート２４に伝達され、該押えプレート２４が断熱内壁枠１０１（図示せず）の屋内側の表面を押圧して、断熱内壁枠１０１を取付位置に固定する。
【００３１】
前述したように断熱内壁枠１０１を固定した後、図９に示すように、断熱内壁枠１０１の目地に内断熱縦目地シート１０４を貼設する。詳細には、予め、帯状の内断熱縦目地シート１０４を断熱内壁枠１０１の縦目地寸法に裁断しておき、該内断熱縦目地シート１０４を、取付金具１０２の屋内側の露呈部分、即ちボルト２２の頭部及び押えプレート２４を覆うように位置せしめ、更に内断熱縦目地シート１０４の上から粘着テープ４０を貼りつけて、内断熱縦目地シート１０４を断熱内壁枠１０１の目地に貼着させる。
【００３２】
このようにして、内壁部の断熱構造１００が施工され、軸組１と断熱内壁枠１０１の縦桟１０Ｔとの間に目地断熱材１０３が介在させることにより、該縦桟１０Ｔから軸組１への熱伝導を抑制する。また、断熱内壁枠１０１の表面側に合成樹脂断熱材１２が、裏面側に易変形断熱材１３が設けられることにより、断熱内壁枠１０１に両者の利点、即ち高い断熱性能及び柔軟性が効果的に発揮され、従来と同様の施工性が維持され、且つ、断熱性能の向上が可能となる。
なお、詳細には説明しないが、断熱内壁枠１０１の屋内側には内壁パネル、壁紙等が設けられて内装が仕上げられる。
【００３３】
以下、前記断熱内壁枠１０１の別の形態に係る断熱内壁枠１０５を用いた内壁部の断熱構造について説明する。
図１０は、前記断熱内壁枠１０５の構成を示すものであるが、該断熱内壁枠１０５は、２本の縦桟１０Ｔ間に横桟１０Ｙが複数架設されてなる矩形の枠体１０の表面側全面に、防湿シート１１が貼設され、枠体１０で四囲された空間内に合成樹脂断熱材１２が充填され、枠体１０の裏面側から、易変形断熱材１５が覆設されてなるものであり、枠体１０、防湿シート１１等、前記断熱内壁枠１０１の構成と同じ図番のものは同一のものである。
【００３４】
易変形断熱材１５も、前記易変形断熱材１３と同様に、グラスウール、ロックウール等の繊維状で容易に変形可能なものが、予め、枠体１０と略同程度の大きさに裁断され、繊維が解けたりしないように袋体に詰められてなるものであるが、その幅が、両縦桟１０Ｔの裏面側にまで至るものである点で前記易変形断熱材１３と異なる。図１１は、図１０のＢ−Ｂ断面を示すものであるが、図に示すように、易変形断熱材１５は、その両端が枠体１０の両端と略同じ位置にあり、縦桟１０Ｔの裏面側をも覆った状態で、枠体１０の裏面側に膨出するように固定されている。なお、易変形断熱材１５の固定は前述と同様にタッカー１４によるものである。
【００３５】
図１２は、取付金具１０２の片側に断熱内壁枠１０５を取り付けた状態を示すものであるが、図に示すように、断熱内壁枠１０５の縦桟１０Ｔを、軸組１に装着された取付金具１０２のスペーサ２３に当接させるようにして断熱内壁枠１０５を取り付ける。詳細には、断熱内壁枠１０５を取り付ける際に、易変形断熱材１５の、縦桟１０Ｔの裏面側であって取付金具１０２に対応する位置に、水平方向に切込みを設け、易変形断熱材１５が取付金具１０２を内包し、該取付金具１０２のスペーサ２３が断熱内壁枠１０５の縦枠１０Ｔと当接できるようにする。易変形断熱材１５と軸組１とが当接する部分は、断熱内壁枠１０５の取付け後、取付部材１０２のボルト２２の頭部又は押えプレート２４によって断熱内壁枠１０５を押圧、固定することにより、軸組１の形状に沿って弾性変形するので、特に切欠き等を設ける必要はない。
【００３６】
このようにして、軸組１と前記縦桟１０Ｔとの間にスペーサ２３分だけの空間を空けて、縦桟１０Ｔが軸組１と直接接触することがないように断熱内壁枠１０５を取り付け、軸組１と前記縦桟１０Ｔとの間の空間には、断熱内壁枠１０５の易変形断熱材１５が充填された状態となる。従って、取付金具１０２の反対側にも断熱内壁枠１０５を取り付けることにより、前述した目地断熱材１０３に代わり、断熱内壁枠１０１の縦目地であって軸組１と断熱内壁枠１０１の縦桟１０Ｔとの間に、易変形断熱材１５が介在する状態となって、縦桟１０Ｔから軸組１への熱伝導を抑制する。
【００３７】
【発明の効果】
以上説明したように、本発明に係る内壁部の断熱構造によれば、建築物の内壁部を構成する軸組に、該軸組に沿って並設される断熱内壁枠を前記軸組から離間して固定するための取付部材が装着され、該取付部材により前記軸組に固定された前記断熱内壁枠の屋内側の縦目地に、帯状の内断熱材が貼設された内壁部の断熱構造において、前記取付部材は、その幅が前記軸組の隙間より小さく先端部分が前記軸組の隙間より大きく拡幅されるとともにその長さが前記軸組の奥行より大きい軸組挿入部が突設された基部と、該基部の軸組側に設けられバネ鋼が弧状に湾曲されてなる板バネと、を備えたものとしたので、基部の軸組挿入部を、その先端の拡幅方向が垂直方向となるようにして軸組へ差し込み、板バネの反発力に対向して板バネが潰れるまで軸組挿入部を軸組に差し込んで、軸組挿入部の先端の拡幅部分を軸組の反対側に突出させた状態で、基部を時計周り（又は反時計周り）に９０度回転させてから解放すれば、板バネの反発力により付勢されて軸組挿入部の拡幅部分により軸組に掛止されることにより、取付部材が軸組に装着される。
【図面の簡単な説明】
【図１】本発明の実施の形態に係る内壁部における断熱構造１００の構成を示す横断面図である。
【図２】断熱内壁枠１０１の構成を示す分解斜視図である。
【図３】図２のＡ−Ａ断面を示す拡大断面図である。
【図４】取付金具１０２の構成を示す斜視図である。
【図５】  (a)は、軸組１に装着する前の取付金具１０２を示す斜視図であり、(b)は、軸組１に装着された取付金具１０２を示す斜視図である。
【図６】軸組１に目地断熱材１０３を取り付ける方法を説明するための模式図及び部分拡大図である。
【図７】軸組１に断熱内壁枠１０１を取付けた状態を示す拡大斜視図である。
【図８】  (a)は、ボルト２２に押えプレート２４を取付ける前の状態を示す斜視図であり、(b)は、ボルト２２の頭部に押えプレートを嵌めた状態を示す斜視図であり、(c)は、押えプレート２４にボルト２２が相通された状態を示す斜視図であり、(d)は、ボルト２２をねじ込む状態を示す斜視図である。
【図９】内断熱縦目地シート１０４を貼着する方法を説明するための拡大斜視図である。
【図１０】断熱内壁枠１０５の構成を示す分解斜視図である。
【図１１】図１０のＢ−Ｂ断面を示す拡大断面図である。
【図１２】軸組１に断熱内壁枠１０５を取付けた状態を示す拡大斜視図である。
【図１３】従来の内壁部における断熱構造を示す横断面図である。
【図１４】従来の内壁枠２の構成を示す分解斜視図である。
【符号の説明】
１００  内壁部における断熱構造
１０１  断熱内壁枠
１０２  取付金具（取付部材）
１０３  目地断熱材
１０４  内断熱縦目地シート（内断熱材）
１  軸組
１０  枠体
１０Ｔ  縦桟
１０Ｙ  横桟
１２  合成樹脂断熱材
１３、１５  易変形断熱材
【図１】
0003942892.tif 000002
【図２】
0003942892.tif 000003
【図３】
0003942892.tif 000004
【図４】
0003942892.tif 000005
【図５】
0003942892.tif 000006
【図６】
0003942892.tif 000007
【図７】
0003942892.tif 000008
【図８】
0003942892.tif 000009
【図９】
0003942892.tif 000010
【図１０】
0003942892.tif 000011
【図１１】
0003942892.tif 000012
【図１２】
0003942892.tif 000013
【図１３】
0003942892.tif 000014
【図１４】
0003942892.tif 000015